(57)【特許請求の範囲】
【請求項１】
眼内の所期する部位であって検査者により決められた被検眼前眼部の部位に位置合わせを行い、検査手段により被検眼前眼部の決められた部位を検査する眼科装置において、被検眼前眼部を観察する観察光学系と、アライメント用の光束を被検眼角膜に向けて投光する投光光学系と、該投光光学系により形成される１つの角膜反射像の二次元位置を検出する第１及び第２アライメント検出光学系を有するアライメント検出光学系であって，第１及び第２アライメント検出光学系は共用される光学素子を持たないとともに，第１アライメント検出光学系の光軸と第２アライメント検出光学系の光軸は所定の角度で交差し，互いに異なる方向から角膜反射像を検出するアライメント検出光学系と、該アライメント検出光学系の検出結果及び前記第１アライメント検出光学系と第２アライメント検出光学系の交差角に基づいて被検眼に対する三次元位置を求める位置算出手段と、被検眼の検査を実行する信号発生時の被検眼に対する三次元位置を検査記録とともに記憶保持する保持手段と、を具備することを特徴とする眼科装置。
【発明の詳細な説明】
【０００１】
【産業上の利用分野】
本発明は眼科装置に係わり、さらに詳細に述べれば眼内の部位への位置合わせを行うためのアライメント系に関する。
【０００２】
【従来の技術】
従来の眼科装置におけるアライメントは、患者眼特に視軸に対して装置の軸を合致させるとともに、患者眼と装置の間を所与の作動距離に設定するものである。すなわち、従来のアライメントは、患者眼に対する装置の位置を一意的に想定し、装置を患者眼に対して許容誤差内に置くものであった。
【０００３】
【発明が解決しようとする課題】
しかし、上記のような装置では眼内の任意の位置に測定部位（または治療部位）を設定しようとしても不可能であり、例えば水晶体の混濁度を測定する装置においても測定部位を所期する複数の箇所に設定できない。
また、装置が患者眼に対して許容誤差内に置かれた場合にはそのずれは無視され、測定部位の再現性が十分得られないので、測定部位の違いによる測定誤差は取り除けない。従って経時的な測定や観察をする場合も、その信頼性は著しく欠けるものとなっていた。
本発明は、上記のような欠点に鑑み案出されたもので、患者眼の任意の部位にアライメントでき、経時的な測定においても再現性の良い眼科装置を提供することを技術課題とする。
【０００４】
【課題を解決するための手段】
本発明は、上記の課題を達成するために、以下のような特徴を有する。
（１）  眼内の所期する部位であって検査者により決められた被検眼前眼部の部位に位置合わせを行い、検査手段により被検眼前眼部の決められた部位を検査する眼科装置において、被検眼前眼部を観察する観察光学系と、アライメント用の光束を被検眼角膜に向けて投光する投光光学系と、該投光光学系により形成される１つの角膜反射像の二次元位置を検出する第１及び第２アライメント検出光学系を有するアライメント検出光学系であって，第１及び第２アライメント検出光学系は共用される光学素子を持たないとともに，第１アライメント検出光学系の光軸と第２アライメント検出光学系の光軸は所定の角度で交差し，互いに異なる方向から角膜反射像を検出するアライメント検出光学系と、該アライメント検出光学系の検出結果及び前記第１アライメント検出光学系と第２アライメント検出光学系の交差角に基づいて被検眼に対する三次元位置を求める位置算出手段と、被検眼の検査を実行する信号発生時の被検眼に対する三次元位置を検査記録とともに記憶保持する保持手段と、を具備することを特徴とする。
【００１０】
【実施例１】
以下、本発明の実施例を図面に基づいて説明する。図１は実施例である水晶体の混濁度を測定する装置の概略を示す図である。
１はレーザ光を水晶体に投光するレーザ光源、２はエキスパンダレンズ、３は集光レンズであり、１〜３は混濁度を測定するためのレーザ投光光学系を構成する。４は被検眼、５は水晶体である。
６は固視およびアライメント用の点光源、７はハーフミラーであり、６，７はアライメント用光束を被検眼に投光するアライメント投光光学系をなす。
８〜１１は水晶体によるレーザ光の散乱光を検出するレーザ散乱光検出光学系を構成する。８は結像レンズ、９はレーザ光を透過するダイクロイックミラー、１０はアパーチャ、１１は受光器（フォトマル）である。
【００１１】
１２は絞り、１３は２次元ＣＣＤであり、ダイクロイックミラー９によりレーザ散乱光検出光学系から分岐された位置に配置される。８，９，１２および１３は第１アライメント検出光学系を構成する。
１４は結像レンズ、１５は絞り、１６は２次元ＣＣＤであり、１４〜１６は第２アライメント検出光学系を構成する。第２アライメント検出光学系の光軸はレーザ散乱光検出光学系の光軸と所定の角度で交叉する。
受光器１１および２次元ＣＣＤ１３，１６の信号は、それぞれ所定の処理を施され、演算・制御回路１７に入力される。１８は測定部位の座標等を記憶する記憶手段である。１９は患者のＩＤ番号や測定日等の入力手段、２０は光学系を被検眼に対して三次元方向に移動するＸＹＺ駆動手段である。
２１は画像合成回路、２２はテレビモニタである。２３は画像処理回路である。
【００１２】
次に、上記装置の動作について説明する。
まず、アライメント用点光源６を点灯し、ハーフミラー７を介して角膜にアライメント光を照射する。角膜表面で反射した光は第１，第２アライメント検出光学系にそれぞれ入射する。
２次元ＣＣＤ１３および１６からの画像情報は画像合成回路２１を介してテレビモニタ２２上に表示される。図２はその表示例であり、左半分の画面３０は第１アライメント検出光学系の画像を、右半分の画面３１は第２アライメント検出光学系の画像を示している。両画面上の輝点３２，３３はアライメント光の角膜反射輝点を表しており、画面上で所定の基準以上の輝度の輝点３２，３３が得られる程度にあらかじめ位置合わせする。
【００１３】
第１アライメント検出光学系において、角膜頂点付近の角膜で反射したアライメント光は、ハーフミラー７を透過し、結像レンズ８を通過した後、ダイクロイックミラー９で反射する。絞り１２を通過したアライメント光は、２次元ＣＣＤ１３上にアライメント光の角膜反射像である輝点を結像する。画像処理回路２３により輝点３２の位置を検出して、被検眼に対する装置の上下左右方向の位置を求める。
また、第２アライメント検出光学系には角膜表面の周辺部で反射したアライメント光が入射する。アライメント光は結像レンズ１４を通り、絞り１５を通過した後、２次元ＣＣＤ１６上に輝点を結像する。２次元ＣＣＤ１６の画像信号を画像処理回路２３により処理して、輝点３３の位置を検出する。演算・制御回路１７は検出された輝点の位置と、前記左画面３０の検出位置とから被検眼の軸方向の位置を算出する。
【００１４】
ここで、第１アライメント検出光学系、第２アライメント検出光学系およびレ−ザ投光系の各光軸の交点（測定部位）を基準点Ｏ、第１アライメント検出光学系の光軸および第２アライメント検出光学系の光軸と角膜反射輝点Ｐの偏位をそれぞれｘ，ｘ´、第２アライメント検出光学系が第１アライメント検出光学系となす角をθ2 とし、基準点Ｏと角膜反射輝点Ｐの第１アライメント検出光学系の軸方向の偏位をｚとすると、ｚは、
【数１】
0003735132.tif 000002
で表される（図３参照）。
【００１５】
このようにして得られた被検眼に対する装置の偏位から、現在の測定部位の三次元の位置座標が特定され、画面３１に表示される。
測定部位が決定されると、レーザ光源１よりレーザ光を被検眼に照射する。測定部位で散乱したレーザ光は結像レンズ８で集光し、ダイクロイックミラー９を通過後、アパーチャ１０に結像する。アパーチャ１０は測定領域を制限するためのものであり、その後方の受光器１１により散乱光が検出される。そして検出された散乱光強度を解析することにより測定部位の混濁の程度が計測される。
測定された結果は、患者のＩＤ番号や測定日等等の入力値やトリガ信号が発生したときの測定部位の位置座標とともに、記憶手段１８に記憶される。記憶手段としては装置内の記憶回路に記憶する他、フロッピー等の記憶媒体を使用しても良い。
【００１６】
再測定時には患者のＩＤ番号等を入力手段１９で入力することにより座標値を呼びだし（座標値を直接入力しても良い）、呼び出された座標値に基づいてＸＹＺ駆動手段２０を作動させ、自動的にアライメント位置に移動する。ＸＹＺ駆動手段としては、周知の種々のものを使用できるが、眼科装置のジョイスティック機構として知られている３次元移動機構をモータ等で移動するようにしても良い（各方向の位置を検出するようにするといっそう正確となる）また、アライメント後は装置のサーボ機構が働き、設定位置を自動的に固定する。
以上の実施例１は第１検出光学系がアライメント光源の光軸と一致している場合について説明したが、必ずしも一致している必要はない。このように実施例は種々の変容が可能である。
【００１７】
【実施例２】
実施例２は２つのアライメント検出光学系が視軸に対して左右対称に配置されている。アライメント投光光学系は実施例１と同様に視軸上にある。レーザ散乱光検出光学系とアライメント検出光学系は分離している。レーザ投光光学系とレーザ散乱光検出光学系の間の角度を変えず、被検眼視軸に対して対称に傾けて配置することにより、レーザ投光光学系あるいはレーザ散乱光検出光学系に対して、被検眼瞳孔が小さいとき、測定光束がけられやすいという問題を改善している。
【００１８】
図４に実施例２の装置の概略を示す。
第１アライメント検出光学系は、結像レンズ１４ｂ、絞り１５ｂ、２次元ＣＣＤ１６ｂから成る。第２アライメント検出光学系は結像レンズ１４ａ、絞り１５ａ、２次元ＣＣＤ１６ａから成る。アライメント観察系はハーフミラー７、結像レンズ８、受光器２５から成る。レーザ散乱光検出光学系は結像レンズ２６、絞り１０、受光器１１から成る。アライメント投光光学系は、アライメント光を平行光束にするコリメーティングレンズ２４と点光源６から成る。レーザ投光光学系は、実施例１と同様である。アライメント観察光学系は被検眼前眼部を観察し、粗いアライメントを行なったり、レーザ光束の眼内での様子の観察も行なわれる。
【００１９】
次に、アライメント偏位量の検出について図５に基づいて説明する。第１アライメント検出光学系及び第２アライメント検出光学系がアライメント投光光学系となす角をαとし、それぞれの検出光学系の交点Ｏから、角膜反射輝点Ｐが（Δ，θ）偏位しているとき、それぞれの検出光学系の偏位量（Δ1x，Δ1y），（Δ2x，Δ2y）より（Δ，θ）を求める。（ただし、（Δ，θ）は３次元偏位のｘｚ平面への投影）
【００２０】
図５より、
Δ1x＝Δsin （π／２−θ−α）＝Δcos （θ＋α）
Δ2x＝Δsin （π／２＋θ−α）＝Δcos （θ−α）
これより、Δ，θを求めると、
tan θ＝（（Δ2x−Δ1x）／（Δ2x＋Δ1x））・cot α
Δ＝（Δ1x＋Δ2x）／（２cos θcos α）
これをｘ，ｚ方向の成分に変換すれば、
Δｘ＝Δcos θ＝（Δ1x＋Δ2x）／（２cos α）
Δｚ＝Δsin θ＝（Δ2x−Δ1x）／（２sin α）
ｙ軸方向については、各アライメント検出光学系の検出したｙ偏位がΔｙであるから
Δｙ＝Δ1y＝Δ2y
以上より、第１及び第２アライメント検出光学系の検出量から（Δｘ，Δｙ，Δｚ）を求めることができる。
このようしにて得られた被検眼に対する装置の３次元の偏位から、現在の測定部位の３次元の位置座標が検出され、モニタ２２に表示される。
【００２１】
【発明の効果】
本発明によれば、患者眼の任意の位置にアライメントでき、経時的にも再現性が良くなる。
【図面の簡単な説明】
【図１】実施例１の装置の概略を示す全体構成図である。
【図２】装置のモニタの表示画面の例を示す図である。
【図３】測定部位の位置を算出するための説明図である。
【図４】実施例２の装置の概略を示す全体構成図である。
【図５】アライメント偏位量を求めるための説明図である。
【符号の説明】
１  レーザ光源
４  被検眼
５  水晶体
６  点光源
１１  受光器
１２，１５，１５ａ，１５ｂ  絞り
１３，１６，１６ａ，１６ｂ  ２次元ＣＣＤ
１４，１４ａ，１４ｂ  結像レンズ
【図１】
0003735132.tif 000003
【図２】
0003735132.tif 000004
【図３】
0003735132.tif 000005
【図４】
0003735132.tif 000006
【図５】
0003735132.tif 000007